(57)【要約】  基地局間キャリアアグリゲーションによりユーザ装置と通信を行う第１の基地局及び第２の基地局を備える移動通信システムにおける前記ユーザ装置において、前記ユーザ装置における上り送信電力情報を前記第１の基地局又は前記第２の基地局に送信するための送信トリガを検知する送信トリガ検知部と、前記送信トリガ検知部により検知された送信トリガに基づいて、前記上り送信電力情報を前記第１の基地局又は前記第２の基地局に送信する上り送信電力情報送信部とを備える。
2015159874.tif 000002
【特許請求の範囲】
【請求項１】
基地局間キャリアアグリゲーションによりユーザ装置と通信を行う第１の基地局及び第２の基地局を備える移動通信システムにおける前記ユーザ装置であって、
前記ユーザ装置における上り送信電力情報を前記第１の基地局又は前記第２の基地局に送信するための送信トリガを検知する送信トリガ検知部と、
前記送信トリガ検知部により検知された送信トリガに基づいて、前記上り送信電力情報を前記第１の基地局又は前記第２の基地局に送信する上り送信電力情報送信部と
を備えることを特徴とするユーザ装置。
【請求項２】
前記送信トリガ検知部は、
前記第１の基地局の配下のプライマリセルが前記ユーザ装置において設定された後、前記第２の基地局の配下の最初のセルが前記ユーザ装置に設定される際に行われる所定の処理を前記送信トリガとして検知する
ことを特徴とする請求項１に記載のユーザ装置。
【請求項３】
前記送信トリガ検知部は、
前記第１又は第２の基地局の配下のセカンダリセルがアクティベート又はディアクティベートされる際に行われる所定の処理を前記トリガとして検知する
ことを特徴とする請求項１又は２に記載のユーザ装置。
【請求項４】
前記送信トリガ検知部が、前記ユーザ装置において、前記第１の基地局との通信が間欠受信状態に遷移したことを前記送信トリガとして検知した場合に、前記上り送信電力情報送信部は、前記上り送信電力情報を前記第２の基地局に送信し、
前記送信トリガ検知部が、前記ユーザ装置において、前記第２の基地局との通信が間欠受信状態に遷移したことを前記送信トリガとして検知した場合に、前記上り送信電力情報送信部は、前記上り送信電力情報を前記第１の基地局に送信する
ことを特徴とする請求項１ないし３のうちいずれか１項に記載のユーザ装置。
【請求項５】
前記上り送信電力情報送信部は、前記ユーザ装置における上り送信電力情報送信の設定内容を確認し、当該設定内容に従って、前記上り送信電力情報を送信する宛先となる基地局を決定する
ことを特徴とする請求項１ないし４のうちいずれか１項に記載のユーザ装置。
【請求項６】
前記送信トリガ検知部は、
前記第１の基地局との間の通信に係るデータが無くなってから所定期間が経過したこと、又は、前記第２の基地局との間の通信に係るデータが無くなってから所定期間が経過したことを前記送信トリガとして検知する
ことを特徴とする請求項１ないし５のうちいずれか１項に記載のユーザ装置。
【請求項７】
前記送信トリガ検知部が、前記ユーザ装置と前記第１の基地局との間の無線品質が変化したことを前記送信トリガとして検知した場合に、前記上り送信電力情報送信部は、前記上り送信電力情報を前記第２の基地局に送信し、
前記送信トリガ検知部が、前記ユーザ装置と前記第２の基地局との間の無線品質が変化したことを前記送信トリガとして検知した場合に、前記上り送信電力情報送信部は、前記上り送信電力情報を前記第１の基地局に送信する
ことを特徴とする請求項１ないし６のうちいずれか１項に記載のユーザ装置。
【請求項８】
前記送信トリガ検知部は、前記第１又は第２の基地局から、上り送信電力情報要求を受信したことを前記送信トリガとして検知する
ことを特徴とする請求項１ないし７のうちいずれか１項に記載のユーザ装置。
【請求項９】
前記上り送信電力情報は、前記ユーザ装置が使用するコンポーネントキャリア毎のパワーヘッドルームである
ことを特徴とする請求項１ないし８のうちいずれか１項に記載のユーザ装置。
【請求項１０】
基地局間キャリアアグリゲーションによりユーザ装置と通信を行う第１の基地局及び第２の基地局を備える移動通信システムにおける前記ユーザ装置が実行する上り送信電力情報送信方法であって、
前記ユーザ装置における上り送信電力情報を前記第１の基地局又は前記第２の基地局に送信するための送信トリガを検知する送信トリガ検知ステップと、
前記送信トリガ検知ステップにより検知された送信トリガに基づいて、前記上り送信電力情報を前記第１の基地局又は前記第２の基地局に送信する上り送信電力情報送信ステップと
を備えることを特徴とする上り送信電力情報送信方法。
【発明の詳細な説明】
【技術分野】
【０００１】
本発明は、移動通信システムにおいて、ユーザ装置が基地局に対して送信電力に関する情報を送信する技術に関連するものである。
【背景技術】
【０００２】
ＬＴＥシステムでは、複数のコンポーネントキャリア（以下、ＣＣ）を同時に使用して通信を可能とするキャリアアグリゲーション（以下、ＣＡ）が導入されている。図１に示すように、ＬＴＥのＲｅｌ−１１までのＣＡでは、同一基地局ｅＮＢ配下の複数のＣＣを用いて同時通信を行うことで高スループットを実現することが可能である。【０００３】
一方、Ｒｅｌ−１２ではこれをさらに拡張し、異なる基地局ｅＮＢ配下のＣＣを用いて同時通信を行い、高スループットを実現するＤｕａｌ  ｃｏｎｎｅｃｔｉｖｉｔｙ（二重接続）が提案されている（非特許文献１）。つまり、Ｄｕａｌ  ｃｏｎｎｅｃｔｉｖｉｔｙでは、ユーザ装置ＵＥは、２つの物理的に異なる基地局ｅＮＢの無線リソースを同時に使用して通信を行う。【０００４】
Ｄｕａｌ  ｃｏｎｎｅｃｔｉｖｉｔｙは、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図２に、Ｄｕａｌ  ｃｏｎｎｅｃｔｉｖｉｔｙの例を示す。図２の例では、ＭｅＮＢがＣＣ＃１でユーザ装置ＵＥと通信を行い、ＳｅＮＢがＣＣ＃２でユーザ装置ＵＥと通信を行うことでＤｕａｌ  ｃｏｎｎｅｃｔｉｖｉｔｙを実現している。【０００５】
Ｄｕａｌ  ｃｏｎｎｅｃｔｉｖｉｔｙにおいて、ＭｅＮＢ配下のセル（１つ又は複数）をＭＣＧ（Ｍａｓｔｅｒ  Ｃｅｌｌ  Ｇｒｏｕｐ、マスターセルグループ）、ＳｅＮＢ配下のセル（１つ又は複数）をＳＣＧ（Ｓｅｃｏｎｄａｒｙ  Ｃｅｌｌ  Ｇｒｏｕｐ、セカンダリセルグループ）と呼ぶ。最初に追加するＳＣＧのセルをＰＳＣｅｌｌ（ｐｒｉｍａｒｙ  ＳＣｅｌｌ）と呼ぶ。ＣＡにおけるＳＣｅｌｌは一般に、ＭＡＣ制御信号によりアクティベート、デアクティベートされるが、ＰＳＣｅｌｌは常にアクティベートされることが想定されている。
【先行技術文献】
【非特許文献】
【０００６】
【非特許文献１】３ＧＰＰ  ＴＲ  ３６．８４２  Ｖ１２．０．０  （２０１３−１２）
【非特許文献２】３ＧＰＰ  ＴＳ  ３６．３２１  Ｖ１２．１．０  （２０１４−０３）
【発明の概要】
【発明が解決しようとする課題】
【０００７】
ユーザ装置ＵＥが基地局ｅＮＢにデータを送信する際の送信電力は適切な大きさである必要があるため、ユーザ装置ＵＥは、ＵＬ送信電力を所定の関数を用いて算出し、算出されたＵＬ送信電力でＵＬ送信を行っている。以下に、上記所定の関数の例を示す。【０００８】
【数１】
2015159874.tif 000003
式１において、ＰＣＭＡＸ，ｃ（ｉ）は、サービングセル（ｓｅｒｖｉｎｇ  ｃｅｌｌ）ｃのｉ番目のサブフレーム（ｓｕｂｆｒａｍｅ）における最大送信電力であり、ＭＰＵＳＣＨ，Ｃ（ｉ）はリソースブロック数であり、ΔＴＦ，ｃはＭＣＳ（Ｍｏｄｕｌａｔｉｏｎ  Ｃｏｄｉｎｇ  Ｓｃｈｅｍｅ）から誘導されるパワーオフセットであり、ＰＬｃはパスロスであり、ｆｃ（ｉ）はａｃｃｕｍｕｌａｔｅｄ  ＴＰＣ  ｃｏｍｍａｎｄである。その他は報知パラメータである。【０００９】
ユーザ装置ＵＥは、割り当てを受けたリソース量と適用するＭＣＳ等を上記所定の関数に入力して送信電力を決定してＵＬ送信を行う。算出された送信電力が最大送信電力を超える場合は、最大送信電力を適用してＵＬ送信を行う。【００１０】
基地局ｅＮＢは、ユーザ装置ＵＥの送信電力が適切な値になるように電力制御やスケジューリング（リソース割り当て、ＭＣＳ決定等）を行うために、上記の式１に基づいて、ユーザ装置ＵＥの送信電力を把握する。ただし、上記の式１における変数のうち、パスロスが未知であるため、ユーザ装置ＵＥは、所定のトリガ（例：パスロスが変わったとき）で、ＰＨ（ｐｏｗｅｒ ｈｅａｄｒｏｏｍ、パワーヘッドルーム）を含むＰＨＲ（ｐｏｗｅｒ ｈｅａｄｒｏｏｍ ｒｅｐｏｒ）を基地局ｅＮＢに通知し、基地局ｅＮＢは、ＰＨＲに基づいて、ユーザ装置ＵＥの送信電力を算出する。【００１１】
パワーヘッドルーム（ＰＨ）とは、以下の式２で算出される値であり、最大送信電力と現在使用している送信電力との差を意味する。【００１２】
【数２】
2015159874.tif 000004
図３Ａ、Ｂは、ＰＨの例を示す図である。図３Ａは、最大送信電力のほうが算出される送信電力よりも大きい場合であり、ＰＨは正の値となる。図３Ｂは、算出される送信電力が最大送信電力よりも大きい場合である。この場合、実際の送信電力は最大送信電力となり、ＰＨは負の値となる。【００１３】
ＬＴＥでは、ＰＨＲをＣＣ毎にユーザ装置ＵＥが基地局ｅＮＢへ報告することが規定されている。例えば非特許文献２において、図４に示すような、ＰＨＲ送信のためのＭＡＣ信号（Ｅｘｔｅｎｄｅｄ  Ｐｏｗｅｒ  Ｈｅａｄｒｏｏｍ  ＭＡＣ  Ｃｏｎｔｒｏｌ  Ｅｌｅｍｅｎｔ）が規定されている。【００１４】
また、ＰＨＲを送信するトリガとしては、例えば非特許文献２に記載されているように、パスロスが変化した場合等が記載されている。【００１５】
Ｒｅｌ−１１までのＣＡではＵＥに設定されている全てのＳＣｅｌｌに対して単一の基地局ｅＮＢがＴＰＣ制御やスケジューリングを行っていたが、Ｄｕａｌ  Ｃｏｎｎｅｃｔｉｖｉｔｙにおいては複数の基地局ｅＮＢがＴＰＣ制御、スケジューリングを行うことになる。このため、例えば、基地局ｅＮＢが互いに自身が確保できる送信電力に余裕があることを担保しながら割り当てを行わなければ、すぐにＵＬ送信電力が不足し、十分なスループットが得られない可能性がある。【００１６】
しかしながら、現状のＰＨＲトリガでは、各基地局ｅＮＢは、ユーザ装置ＵＥに適切な電力でＵＬ送信を行わせるためのスケジューリングを実施するために、十分な送信電力情報を取得することができない可能性がある。【００１７】
例えば、基地局ＳｅＮＢにおけるＰＳＣｅｌｌが追加されたことで、ユーザ装置ＵＥのＰＳＣｅｌｌに対する送信電力が増加する場合においても、基地局ＭｅＮＢがＰＨＲを取得せず、ユーザ装置ＵＥにおけるＣＣ毎の送信電力を正確に把握しないまま、ＭＣＧに関するスケジューリングを行うこと等が考えられる。【００１８】
本発明は上記の点に鑑みてなされたものであり、基地局間キャリアアグリゲーションによりユーザ装置と通信を行う第１の基地局及び第２の基地局を備える移動通信システムにおいて、第１の基地局又は第２の基地局が上り送信電力情報を適切に取得することを可能とする技術を提供することを目的とする。
【課題を解決するための手段】
【００１９】
本発明の実施の形態によれば、基地局間キャリアアグリゲーションによりユーザ装置と通信を行う第１の基地局及び第２の基地局を備える移動通信システムにおける前記ユーザ装置であって、
前記ユーザ装置における上り送信電力情報を前記第１の基地局又は前記第２の基地局に送信するための送信トリガを検知する送信トリガ検知部と、
前記送信トリガ検知部により検知された送信トリガに基づいて、前記上り送信電力情報を前記第１の基地局又は前記第２の基地局に送信する上り送信電力情報送信部とを備えるユーザ装置が提供される。【００２０】
また、本発明の実施の形態によれば、基地局間キャリアアグリゲーションによりユーザ装置と通信を行う第１の基地局及び第２の基地局を備える移動通信システムにおける前記ユーザ装置が実行する上り送信電力情報送信方法であって、
前記ユーザ装置における上り送信電力情報を前記第１の基地局又は前記第２の基地局に送信するための送信トリガを検知する送信トリガ検知ステップと、
前記送信トリガ検知ステップにより検知された送信トリガに基づいて、前記上り送信電力情報を前記第１の基地局又は前記第２の基地局に送信する上り送信電力情報送信ステップとを備える上り送信電力情報送信方法が提供される。
【発明の効果】
【００２１】
本発明の実施の形態によれば、基地局間キャリアアグリゲーションによりユーザ装置と通信を行う第１の基地局及び第２の基地局を備える移動通信システムにおいて、第１の基地局又は第２の基地局が上り送信電力情報を適切に取得することが可能となる。
【図面の簡単な説明】
【００２２】
【図１】Ｒｅｌ−１１までのＣＡを示す図である。
【図２】Ｄｕａｌ  Ｃｏｎｎｅｃｔｉｖｉｔｙの例を示す図である。
【図３Ａ】パワーヘッドルームを説明するための図である。
【図３Ｂ】パワーヘッドルームを説明するための図である。
【図４】パワーヘッドルームを報告する信号の例（Ｅｘｔｅｎｄｅｄ  Ｐｏｗｅｒ  Ｈｅａｄｒｏｏｍ  ＭＡＣ  Ｃｏｎｔｒｏｌ  Ｅｌｅｍｅｎｔ）を示す図である。
【図５】本発明の実施の形態に係る通信システムの構成例を示す図である。
【図６】ＰＨＲ送信トリガの第１の例を説明するための図である。
【図７】ＰＨＲ送信トリガの第１の例を説明するための図である。
【図８】ＰＨＲ送信トリガの第２の例を説明するための図である。
【図９】ＰＨＲ送信トリガの第２の例を説明するための図である。
【図１０】ＰＨＲ送信トリガの第３の例を説明するための図である。
【図１１】ＰＨＲ送信トリガの第３の例を説明するための図である。
【図１２】ＰＨＲ送信トリガの第５の例を説明するための図である。
【図１３】ＰＨＲ送信トリガの第６の例を説明するための図である。
【図１４】ＰＨＲ送信トリガの第７の例を説明するための図である。
【図１５】変形例を説明するための図である。
【図１６】ユーザ装置ＵＥの機能構成図である。
【図１７】ユーザ装置ＵＥの動作例を示すフローチャートである。
【発明を実施するための形態】
【００２３】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の通信システムは、ＬＴＥに対応していることを想定しているが、本発明はＬＴＥに限らず、他の方式にも適用可能である。また、本明細書及び特許請求の範囲では、特に断らない限り、「ＬＴＥ」の用語は３ＧＰＰのＲｅｌ−１２、もしくは、Ｒｅｌ−１２以降の方式の意味で使用する。
【００２４】
また、以下の説明において、ＰＣｅｌｌ、ＳＣｅｌｌ等の「セル」は、当該セルを構成するコンポーネントキャリア（ＣＣ）と同義と考えてもよい。また、以下では、上り送信電力情報としてＰＨＲを送信する例を示しているが、送信する上り送信電力情報はＰＨＲに限定されない。
【００２５】
また、以下において、ＰＨＲはＭｅＮＢ、ＳｅＮＢの区別なく全てのＣＣ毎に送信することを想定しているが、ＭｅＮＢ配下のＣＣ毎のＰＨＲと、ＳｅＮＢ配下のＣＣ毎のＰＨＲとを分けて送信しても構わない。
【００２６】
（通信システム全体構成例）
図５に本発明の実施の形態に係る移動通信システムの構成例を示す。図５に示すように、本実施の形態に係る移動通信システムは、それぞれコアネットワーク１０に接続される基地局ＭｅＮＢと基地局ＳｅＮＢを備え、ユーザ装置ＵＥとの間でＤｕａｌ  ｃｏｎｎｅｃｔｉｖｉｔｙを可能としている。また、基地局ＭｅＮＢと基地局ＳｅＮＢとの間は、例えばＸ２インターフェースにより通信可能である。従って、例えば、基地局ＭｅＮＢのみがユーザ装置ＵＥからＰＨＲを受信した場合でも、当該ＰＨＲを基地局ＳｅＮＢに送信することで、当該ＰＨＲを基地局ＳｅＮＢにおいても利用できる。また、例えば、基地局ＳｅＮＢのみがユーザ装置ＵＥからＰＨＲを受信した場合でも、当該ＰＨＲを基地局ＭｅＮＢに送信することで、当該ＰＨＲを基地局ＭｅＮＢにおいても利用できる。
【００２７】
以下では、基地局（ＭｅＮＢ、ＳｅＮＢ）と記載した場合、基地局ＭｅＮＢのみ、基地局ＳｅＮＢのみ、基地局ＭｅＮＢと基地局ＳｅＮＢの両方、のいずれでもよいことを示すものとする。
【００２８】
本実施の形態では、ユーザ装置ＵＥから基地局ＭｅＮＢもしくは基地局ＳｅＮＢへの、新たなＣＣ（Ｃｅｌｌ）によるＵＬ送信が発生、又は、既に行われているＵＬ送信が停止する場合に、ユーザ装置ＵＥが当該事象（あるいは当該事象に関連する所定の処理の実行）を検知したことをトリガとして、ＰＨＲを基地局（ＭｅＮＢ、ＳｅＮＢ）に送信する等の処理を行っている。あるＣＧにおけるＣＣによるＵＬ送信が発生／停止することにより、ユーザ装置ＵＥが当該ＣＧ及び他のＣＧにおいて使用できるＵＬ送信電力が変化するため、そのことを基地局（ＭｅＮＢ、ＳｅＮＢ）に通知するのである。以下、具体的な例として、第１〜第７の例を説明する。
【００２９】
（第１の例）
まず、第１の例の概要を図６を参照して説明する。前述したように、ＳＣＧ（基地局ＳｅＮＢ配下のＣｅｌｌ  Ｇｒｏｕｐ）において最初に設定されるＳＣｅｌｌは、ＰＳＣｅｌｌと呼ばれる。第１の例では、ＰＳＣｅｌｌがユーザ装置ＵＥに設定（追加）されることをトリガとしてユーザ装置ＵＥがＰＨＲを基地局（ＭｅＮＢ、ＳｅＮＢ）に送信する。
【００３０】
すなわち、例えば、図６の「Ａ」に示すように、ＭＣＧ（ＰＣｅｌｌ含む）が設定（Ｃｏｎｆｉｇｕｒｅ）されたユーザ装置ＵＥが基地局ＭｅＮＢに対してＵＬ送信を行っている状態において、「Ｂ」に示すように、ＰＳＣｅｌｌが設定され、「Ｃ」に示すようにユーザ装置ＵＥから基地局ＳｅＮＢに対するＵＬ送信が開始されるものとする。この場合、例えば、基地局ＳｅＮＢに対するＵＬ送信開始により、ユーザ装置ＵＥが使用できる基地局ＭｅＮＢ／ＳｅＮＢへのＵＬ送信電力が変化することになる。ＰＨＲ送信により、そのような状況を基地局（ＭｅＮＢ、ＳｅＮＢ）に通知するのである。
【００３１】
なお、Ｄｕａｌ  Ｃｏｎｎｅｃｔｉｖｉｔｙではない従来のＣＡにおいて、ユーザ装置ＵＥは、基地局ｅＮＢからＳＣｅｌｌのアクティベーションコマンドを受信した時にＰＨＲ送信をトリガしているが、ＰＳＣｅｌｌについては、ＰＳＣｅｌｌ追加指示の後、ＵＥが自律でアクティベートするため、従来技術では、ＰＨＲ送信トリガが明確でなかったところ、本例においては、これを明確にし、ＰＳＣｅｌｌの追加等に基づくＰＨＲ送信トリガを適切に行うことを可能としている。また、ＰＳＣｅｌｌが削除されるときにも、それをトリガとしてＰＨＲ送信を行うこともできる。
【００３２】
より具体的なＰＨＲ送信トリガタイミングの例を図７を参照して説明する。図７は、ＰＳＣｅｌｌ追加時における主要な信号送受信やユーザ装置ＵＥにおける処理内容を示しており、ユーザ装置ＵＥは、図７に示す各処理をトリガとしてＰＨＲを基地局（ＭｅＮＢ、ＳｅＮＢ）に送信することができる。
【００３３】
図７に示すように、例えば基地局ＭｅＮＢがユーザ装置ＵＥに対してＰＳＣｅｌｌ（つまり、ＳＣＧ）を設定することを決定すると、基地局ＭｅＮＢは、ＰＳＣｅｌｌの設定を指示するＲＲＣメッセージをユーザ装置ＵＥに送信する。図７に点線で例示しているように、ユーザ装置ＵＥは、ＰＳＣｅｌｌの設定を指示するＲＲＣメッセージを受信したことをトリガとしてＰＨＲを基地局（ＭｅＮＢ、ＳｅＮＢ）に送信することができる。ここでのトリガは、ユーザ装置ＵＥがＲＲＣメッセージを受信し、ＲＲＣメッセージに対する処理(例：ＰＳＣｅｌｌとして使用するＣＣの把握等)を行ったこととしてもよい。
【００３４】
ユーザ装置ＵＥは、ＲＲＣメッセージに対する処理が完了したことを示す完了メッセージ（Ｃｏｍｐｌｅｔｅ  ｍｅｓｓａｇｅ）を送信し（ステップ１０２）、それを受けた基地局ＭｅＮＢは送達確認（ＭＡＣ−ＡＣＫ，ＲＬＣ−ＡＣＫ等）をユーザ装置ＵＥに送信し、ユーザ装置ＵＥは当該送達確認を受信する（ステップ１０３）。ユーザ装置ＵＥは、ステップ１０２における送信、及びステップ１０３における受信のいずれもトリガとしてＰＨＲを基地局（ＭｅＮＢ、ＳｅＮＢ）に送信することができる。
【００３５】
続いて、ユーザ装置ＵＥは、ＰＳＣｅｌｌをアクティベート（Ａｃｔｉｖａｔｅ）し（ステップ１０４）、無線のリチューニングを行う（ステップ１０５）。なお、アクティベートとは、例えば、ＰＳＣｅｌｌに係るＣＣを実際にＣＡ（本例では、ＤＣ）に使用できるようにユーザ装置ＵＥ内で処理を行うことであり、リチューニングは、当該ＣＣの追加に応じた各ＣＣの無線周波数の調整等を行うことである。
【００３６】
ユーザ装置ＵＥは、ステップ１０４のアクティベートがトリガされたタイミングでＰＨＲを基地局（ＭｅＮＢ、ＳｅＮＢ）に送信してもよいし、リチューニングが完了した段階（つまり、ＰＳＣｅｌｌのＣＣの送信を開始する段階）でＰＨＲを基地局（ＭｅＮＢ、ＳｅＮＢ）に送信してもよい。
【００３７】
次に、例えば、ユーザ装置ＵＥは、基地局ＳｅＮＢとデータ通信を開始するための処理として、ステップ１０６において、基地局ＳｅＮＢとの間でランダムアクセス（ＲＡ）手順を行う（ＲＡＣＨ送信、ＲＡＣＨ応答受信、ＵＬ  ｇｒａｎｔ受信等）。本例において、このランダムアクセス手順は、ＰＳＣｅｌｌが含まれるＴＡＧ（Ｔｉｍｉｎｇ  Ａｄｖａｎｃｅ  Ｇｒｏｕｐ）に対して行われるものである。ＴＡＧとは、伝搬遅延がほぼ同等のＣＣ群である。また、このランダムアクセス手順は、基地局ＳｅＮＢからの指示により開始してもよい。
【００３８】
ステップ１０６の後、ユーザ装置ＵＥは、基地局ＳｅＮＢから割り当てられたリソースを用いてＰＵＳＣＨ（データ）を送信する（ステップ１０７）。
【００３９】
ユーザ装置ＵＥは、ランダムアクセス手順がトリガ（例：基地局ＳｅＮＢからの指示受信）されたタイミングでＰＨＲを基地局（ＭｅＮＢ、ＳｅＮＢ）に送信してもよいし、ランダムアクセス手順成功のタイミング、ランダムアクセス応答を受信したタイミング、ステップ１０７のＰＵＳＣＨ送信タイミング等でＰＨＲを基地局（ＭｅＮＢ、ＳｅＮＢ）に送信してもよい。
【００４０】
ＵＬデータを有するユーザ装置ＵＥは、基地局（ＭｅＮＢ、ＳｅＮＢ）にＢＳＲ（Ｂｕｆｆｅｒ  Ｓｔａｔｕｓ  Ｒｅｐｏｒｔ）を送信する（ステップ１０８、１０９）。ユーザ装置ＵＥはＢＳＲ送信がトリガされたタイミング（例：送信データが発生、タイマ満了、周期的タイミング）、もしくは、ＢＳＲを送信したタイミングで、ＰＨＲを基地局（ＭｅＮＢ、ＳｅＮＢ）に送信することができる。なお、ＰＨＲ送信のトリガとするＢＳＲをＲｅｇｕｌｅｒ  ＢＳＲのみとしてもよい。
【００４１】
上述した複数のＰＨＲ送信トリガのうち、いずれか１つを用いてもよいし、いずれか複数を用いてもよいし、全部を用いてもよい。また、ＰＨＲは基地局ＭｅＮＢのみ、基地局ＳｅＮＢのみ、基地局ＭｅＮＢとＳｅＮＢの両方のいずれに送信することとしてもよいが、基地局（ＭｅＮＢ、ＳｅＮＢ）から、ユーザ装置ＵＥに対して、特定の基地局にＰＨＲを送信することの設定がされた場合は、当該設定に従ってＰＨＲを送信することとしてよい。
【００４２】
以上説明した各ＰＨＲ送信トリガは、基地局ＭｅＮＢの配下のプライマリセルがユーザ装置ＵＥにおいて設定された後、基地局ＳｅＮＢの配下の最初のセルがユーザ装置ＵＥに設定される際に行われる所定の処理の例である。
【００４３】
（第２の例）
次に、第２の例を説明する。第２の例は、ｎｏｒｍａｌ  ＳＣｅｌｌのアクティベーション等に基づいてＰＨＲ送信をトリガするものである。ｎｏｒｍａｌ  ＳＣｅｌｌとは、ＰＳＣｅｌｌ以外のＳＣｅｌｌである。つまり、ＭＣＧにおけるＳＣｅｌｌ、及びＳＣＧにおけるＳＣｅｌｌ（ＰＳＣｅｌｌ以外）である。
【００４４】
第２の例の概要を図８を参照して説明する。図８の「Ａ」に示すように、ＳＣＧが設定されたユーザ装置ＵＥが基地局ＳｅＮＢに対してＵＬ送信を行っている状態において、「Ｂ」に示すように、ＭＣＧのＳＣｅｌｌがアクティベートされ、「Ｃ」に示すように、当該ＳＣｅｌｌのＣＣにより、ユーザ装置ＵＥから基地局ＭｅＮＢに対するＵＬ送信が開始されるものとする。この場合、例えば、基地局ＭｅＮＢに対する新たなＣＣのＵＬ送信開始により、ユーザ装置ＵＥが使用できる基地局ＳｅＮＢへのＵＬ送信電力が変化することになる。ＰＨＲ送信により、そのような状況を基地局（ＭｅＮＢ、ＳｅＮＢ）に通知するのである。
【００４５】
より具体的なＰＨＲ送信トリガタイミングの例を図９を参照して説明する。図９は、ＭＣＧのＳＣｅｌｌアクティベート時における主要な信号送受信やユーザ装置ＵＥにおける処理内容を示しており、ユーザ装置ＵＥは、図９に示す各処理をトリガとしてＰＨＲを基地局（ＭｅＮＢ、ＳｅＮＢ）に送信することができる。なお、ＳＣＧのＳＣｅｌｌアクティベートの場合も同様の処理が行われる。
【００４６】
図９に示すように、ユーザ装置ＵＥは基地局ＭｅＮＢからＳＣｅｌｌのアクティベートコマンドを受信し（ステップ２０１）、当該ＳＣｅｌｌをアクティベートして（ステップ２０２）、無線のリチューニングを行う（ステップ２０３）。ユーザ装置ＵＥは、ステップ２０２のアクティベートがトリガされたタイミングでＰＨＲを基地局（ＭｅＮＢ、ＳｅＮＢ）に送信してもよいし、リチューニングが完了した段階（つまり、ＳＣｅｌｌのＣＣの送信を開始する段階）でＰＨＲを基地局（ＭｅＮＢ、ＳｅＮＢ）に送信してもよい。図９には、後者の例が点線で記載されている。
【００４７】
次に、例えば、ユーザ装置ＵＥは、当該ＳＣｅｌｌを含むＣＡ（ＤＣ）によるデータ通信を開始するための処理として、ステップ２０４において、基地局ＭｅＮＢとの間でランダムアクセス（ＲＡ）手順を行う。本例において、このランダムアクセス手順は、当該ＳＣｅｌｌが含まれるＴＡＧ（Ｔｉｍｉｎｇ  Ａｄｖａｎｃｅ  Ｇｒｏｕｐ）に対して行われるものである。
【００４８】
ステップ２０４の後、ユーザ装置ＵＥは、基地局ＭｅＮＢから割り当てられたリソースを用いてＰＵＳＣＨ（データ）を送信する（ステップ２０５）。
【００４９】
ユーザ装置ＵＥは、ランダムアクセス手順がトリガ（例：基地局ＭｅＮＢからの指示受信）されたタイミングでＰＨＲを基地局（ＭｅＮＢ、ＳｅＮＢ）に送信してもよいし、ランダムアクセス手順成功のタイミング、ランダムアクセス応答を受信したタイミング、ステップ２０５のＰＵＳＣＨ送信タイミング等でＰＨＲを基地局（ＭｅＮＢ、ＳｅＮＢ）に送信してもよい。
【００５０】
ユーザ装置ＵＥは、ＴＡ（Ｔｉｍｉｎｇ Ａｄｖａｎｃｅ）コマンドを受信した時点で、ＴＡタイマを起動して、再度、ＴＡコマンドを受信することなく、ＴＡタイマが満了すると、上り同期が外れたものと判断して、以降の上り信号の送信時に、上り同期を取るために、ＲＡ手順から開始するという動作を行うが、図９のステップ２０６において、上記ＳＣｅｌｌが含まれるＴＡＧに対して管理されているＴＡタイマが満了したものとする。ユーザ装置ＵＥは、このＴＡタイマが満了したタイミングでＰＨＲを基地局（ＭｅＮＢ、ＳｅＮＢ）に送信してもよい。
【００５１】
その後、ユーザ装置ＵＥは、ステップ２０１によりアクティベートされたＳＣｅｌｌをディアクティベートするコマンドを受信する（ステップ２０７）。ユーザ装置ＵＥは、当該コマンドに基づき、ＳＣｅｌｌがディアクティベートしたタイミング（例：ＳＣｅｌｌによるＵＬ送信が停止（所定の処理の例）したタイミング）でＰＨＲを基地局（ＭｅＮＢ、ＳｅＮＢ）に送信してもよい。
【００５２】
上述した複数のＰＨＲ送信トリガのうち、いずれか１つを用いてもよいし、いずれか複数を用いてもよいし、全部を用いてもよい。また、ＰＨＲは基地局ＭｅＮＢのみ、基地局ＳｅＮＢのみ、基地局ＭｅＮＢとＳｅＮＢの両方のいずれに送信することとしてもよいが、基地局（ＭｅＮＢ、ＳｅＮＢ）から、ユーザ装置ＵＥに対して、特定の基地局にＰＨＲを送信することの設定がされた場合は、当該設定に従ってＰＨＲを送信することとしてよい。
【００５３】
以上説明した各送信トリガは、基地局ＭｅＮＢ又はＳｅＮＢの配下のセカンダリセルがアクティベート又はディアクティベートされる際に行われる所定の処理の例である。
【００５４】
（第３の例）
次に、第３の例を説明する。第３の例は、ＤＲＸ（間欠受信状態）への遷移をＰＨＲ送信トリガとするものである。
【００５５】
ＤＲＸ制御において、ユーザ装置ＵＥは、ＰＤＣＣＨの受信（デコード）に成功したら、非アクティブタイマ（ＤＲＸ  Ｉｎａｃｔｉｖｉｔｙ  Ｔｉｍｅｒ）を起動するとともに、アウェイク状態（ｎｏｎ−ＤＲＸ状態）を保持するが、自分宛てＰＤＣＣＨを受信することなく非アクティブタイマが満了したときには、ＤＲＸ状態（間欠受信状態）に入る動作を行う。また、ユーザ装置ＵＥは、基地局（ＭｅＮＢ、ＳｅＮＢ）から、ＤＲＸへの遷移を指示するＭＡＣ制御信号（ＤＲＸ  ｃｏｍｍａｎｄ  ＭＡＣ  ＣＥ）を受信した場合にもＤＲＸ状態（間欠受信状態）に入る。
【００５６】
図１０には、非アクティブタイマが満了してＤＲＸへの遷移を行う場合の例を示している。図１０に示すとおり、本実施の形態では、ＤＲＸ制御は、ＣＧ単位（基地局毎）で行われるものとしている。
【００５７】
図１０の例では、ＭＣＧは常にｎｏｎ−ＤＲＸであるが、ＳＣＧにおいて、非アクティブタイマが満了し、ＤＲＸ状態に遷移している。本例では、ユーザ装置ＵＥは、非アクティブタイマが満了したタイミングでＰＨＲを基地局ＭｅＮＢ（ｎｏｎ−ＤＲＸに対応する基地局）に送信する。つまり、本例では、ユーザ装置ＵＥは、ｎｏｎ−ＤＲＸ状態の基地局にＰＨＲを送信する。
【００５８】
なお、ユーザ装置ＵＥに対して、Ｓｈｏｒｔ  ＤＲＸが設定されている場合には、ユーザ装置ＵＥは、ＤＲＸ遷移の際に、まず、Ｓｈｏｒｔ  ＤＲＸ状態に遷移し、Ｓｈｏｒｔ  ＤＲＸ  ｔｉｍｅｒが満了した場合に、Ｌｏｎｇ  ＤＲＸ状態に遷移する。Ｓｈｏｒｔ  ＤＲＸ状態からＬｏｎｇ  ＤＲＸ状態への遷移、つまり、Ｓｈｏｒｔ  ＤＲＸ  ｔｉｍｅｒの満了をＰＨＲ送信のトリガとしてもよい。
【００５９】
図１１に示す例では、ユーザ装置ＵＥが、基地局ＭｅＮＢからＭＣＧをＤＲＸ状態に遷移させるＭＡＣ制御信号（ＤＲＸコマンド）を受信する（ステップ３０１）、このコマンドによりユーザ装置ＵＥはＤＲＸ状態に遷移し（ステップ３０２）、ＤＲＸ状態への遷移をトリガとしてＰＨＲを基地局ＳｅＮＢ（ｎｏｎ−ＤＲＸ状態）に送信する（ステップ３０３）。
【００６０】
（第４の例）
従来技術では、基地局ｅＮＢからユーザ装置ＵＥに設定メッセージ（ｐｈｒ−Ｃｏｎｆｉｇ）を送信することで、ユーザ装置ＵＥにおける設定をＰＨＲ機能＝ＯＮとする場合にのみ、ユーザ装置ＵＥはＰＨＲをトリガしている。
【００６１】
本実施の形態では、基地局（ＭｅＮＢ、ＳｅＮＢ）が送信する設定メッセージにより、ＭＣＧに対する設定（ＰＨＲ機能＝ＯＮ  ｏｒ  ＯＦＦ）とＳＣＧに対する設定（ＰＨＲ機能＝ＯＮ  ｏｒ  ＯＦＦ）を行うことができるようにする。
【００６２】
そして、例えば、ＭＣＧに対する設定がＰＨＲ機能＝ＯＦＦである場合でも、ＳＣＧに対する設定がＰＨＲ機能＝ＯＮであれば、本実施の形態で説明するトリガにより、ユーザ装置ＵＥはＯＮに該当する基地局ＳｅＮＢにＰＨＲを送信する。また、ＳＣＧに対する設定がＰＨＲ機能＝ＯＦＦである場合でも、ＭＣＧに対する設定がＰＨＲ機能＝ＯＮであれば、本実施の形態で説明するトリガにより、ユーザ装置ＵＥはＯＮに該当する基地局ＭｅＮＢにＰＨＲを送信する。
【００６３】
（第５の例）
次に、第５の例を説明する。第５の例はスケジューリングに基づくＰＨＲ送信トリガであり、ＣＧに対して関連付けられているベアラ（ＬＣＨ：ロジカルチャネルでもよい）に対してＤＬ、或いはＵＬの新規データが無くなって所定期間が経過した場合にＰＨＲ送信をトリガする。すなわち、本例では、ＤＬ、ＵＬのデータが無いのであれば、ＵＬ送信も以降発生しないだろうという想定に基づき、そのような状況で適切な電力制御やスケジューリングを行わせるべくＰＨＲを基地局（ＭｅＮＢ、ＳｅＮＢ）に送信するのである。
【００６４】
第５の例における機能のＯＮ／ＯＦＦ、及び所定期間はベアラ／ＬＣＨ毎に個別に設定することとしてよい。設定は、例えば、基地局（ＭｅＮＢ、ＳｅＮＢ）からユーザ装置ＵＥに送信する設定メッセージにより行うことができる。
【００６５】
図１２は、第５の例を説明するためのシーケンス図である。図１２において、ユーザ装置ＵＥから基地局ＭｅＮＢに対しては連続的にデータ送信が行われている。一方、ユーザ装置ＵＥから基地局ＳｅＮＢに対しては、ステップ４０１のデータを最後に、データが無い状態になる。本例では、ユーザ装置ＵＥに、所定期間に対応するタイマ（ＭＣＧ，ＳＣＧのそれぞれが有する）が設定されているものとする。
【００６６】
ユーザ装置ＵＥは、基地局ＳｅＮＢへの上りデータがなくなった時点（バッファ滞留量が０になった時点）でＳＣＧに対応するタイマを起動させる。図１２に示すように、タイマが起動中にデータが無い状態が継続し、タイマが満了する。ユーザ装置ＵＥは、所定期間が経過した（タイマが満了した）ことをトリガに、ＰＨＲを基地局（ＭｅＮＢ、ＳｅＮＢ）に送信する（ステップ４０２）。なお、図１２では、ＰＨＲを基地局ＭｅＮＢに送信する例を示している。
【００６７】
上記の例は、新規の送信データが無い場合をトリガとしているが、新規ＤＬデータ受信もしくは新規ＵＬデータ送信を示すＰＤＣＣＨを所定期間だけ受信しない場合にＰＨＲ送信をトリガしてもよい。また、Ａｐｅｒｉｏｄｉｃ  ＳＲＳ／ＣＱＩを指示するＰＤＣＣＨを所定期間だけ受信しない場合にＰＨＲ送信をトリガしてもよいし、ＴＰＣ−ＰＤＣＣＨ、ＰＤＣＣＨ  ｏｒｄｅｒ等を所定期間だけ受信しない場合にＰＨＲ送信をトリガしてもよい。
【００６８】
（第６の例）
次に、第６の例を説明する。第６の例は、ユーザ装置ＵＥが、無線品質の変化を検出した場合に、変化を検出しなかったほうの基地局へＰＨＲを報告するものである。ただし、変化を検出したほうの基地局へもＰＨＲを報告することとしてもよい。測定する無線品質は、例えば、ユーザ装置ＵＥが受信する信号に基づくＲＳＲＰ、ＲＳＲＱ、ＣＱＩ等であり、品質の監視対象は、ＣＣ毎であってもよいし、ＣＧ毎であってもよい。無線品質の変化を検出した場合とは、例えば、無線品質が所定の閾値よりも悪化した場合、あるいは、所定の閾値よりも良くなった場合等である。
【００６９】
また、ユーザ装置ＵＥがＳＣＧに対してＲＬＦ（Ｒａｄｉｏ  Ｌｉｎｋ  Ｆａｉｌｕｒｅ：無線リンク異常）を検出したことをトリガとしてＰＨＲを基地局ＭｅＮＢに送信することとしてもよい。ここで、ＲＬＦの例としては、ＲＡ  ｐｒｏｂｌｅｍ（ランダムアクセス失敗）、ＲＬＣ再送超過、Ｌ１  ｆａｌｉｕｒｅ（物理レイヤ障害）等があるが、これらに限られるわけではない。
【００７０】
図１３は、第６の例を説明するためのシーケンス図である。図１３の例において、ユーザ装置ＵＥは、基地局ＳｅＮＢから受信する信号に基づき、ＳＣＧの品質が所定の閾値より高くなった（又は、低くなった）ことを検知する（ステップ５０１）。ユーザ装置ＵＥは、この検知をトリガとしてＰＨＲを基地局ＭｅＮＢに送信する（ステップ５０２）。なお、図１３では、ＳＣＧの品質が変化する場合を例にしているが、ＭＣＧの品質変化を検知して、ＰＨＲを基地局ＳｅＮＢに送信してもよい。
【００７１】
（第７の例）
次に、第７の例を説明する。第７の例では、ユーザ装置ＵＥは、基地局（ＭｅＮＢ、ＳｅＮＢ）からの要求に従ってＰＨＲ送信をトリガする。図１４は、第７の例を説明するためのシーケンス図である。図１４の例において、ユーザ装置ＵＥは、ＰＨＲ要求信号を受信し（ステップ６０１）、当該ＰＨＲ要求信号を受信したことをトリガとしてＰＨＲを送信する（ステップ６０２、６０３）。
【００７２】
ＰＨＲ要求信号として、新たに定義するＲＲＣ信号、ＭＡＣ信号、ＰＨＹ信号等を用いることができる。また、ＴＡコマンドをＰＨＲ要求信号として用いてもよい。
【００７３】
なお、これまでに第１〜第７の例を説明したが、これらのうちのいずれか複数、又は全部を組み合わせて使用してもよい。
【００７４】
（変形例）
これまでに説明した例において、Ｄｕａｌ  ＣｏｎｎｅｃｔｉｃｉｔｙにおけるＰＨＲ送信トリガを説明したが、以下で説明するように、これまでに説明したＰＨＲ送信トリガを、Ｄｕａｌ  ＣｏｎｎｅｃｔｉｃｉｔｙではないＣＡに適用することも可能である。
【００７５】
従来のＣＡではＰＵＣＣＨはＰＣｅｌｌでしか送信がされないが、Ｒｅｌ−１２においてＳＣｅｌｌでもＰＵＣＣＨを送信することが検討されている。この場合、ＰＣｅｌｌとＳＣｅｌｌのそれぞれからスケジューリングリクエスト等を送信することができ、ＣＡに対してＤｕａｌ  Ｃｏｎｎｅｃｔｉｃｉｔｙと同様の制御が適用されることになる。
【００７６】
例えば、図１５に示すＣＡの構成において、アンテナ１を持つ基地局ｅＮＢにアンテナ２（これを遠隔基地局と呼んでもよい）が遠隔に接続されることで、アンテナ１によりＰＣｅｌｌが形成され、アンテナ２によりＳＣｅｌｌが形成されるとする。ここで、上記のように、ＰＣｅｌｌとＳＣｅｌｌのそれぞれからＰＵＣＣＨ送信することで、基地局ｅＮＢは、基地局ｅＮＢをＭｅＮＢとしアンテナ２（遠隔基地局）をＳｅＮＢとしたＤｕａｌ  Ｃｏｎｎｅｃｔｉｃｉｔｙと同様の制御を行うことができる。このような通信システムにおいても、これまでに説明したＰＨＲ送信トリガを適用することができる。また、このような通信システムについても、基地局間キャリアアグリゲーションを行う移動通信システムと称してもよい。
【００７７】
（装置構成、動作フロー）
図１６に、これまでに説明したＰＨＲ送信制御を実行するユーザ装置ＵＥの構成例を示す。なお、図１６は、ユーザ装置ＵＥにおいて本発明の実施の形態に特に関連する機能部のみを示すものであり、少なくともＬＴＥ方式に準拠した動作を行うための図示しない機能も有するものである。
【００７８】
図１６に示すように、本実施の形態のユーザ装置ＵＥは、ＤＬ信号受信部１０１、ＵＬ信号送信部１０２、ＣＡ制御部１０３、ＰＨＲトリガ検知部１０４、ＰＨＲ通知制御部１０５を有する。
【００７９】
ＤＬ信号受信部１０１は、基地局（ＭｅＮＢ、ＳｅＮＢ）から無線信号を受信し、無線信号から情報を抽出する。ＵＬ信号送信部１０２は、送信情報から無線信号を生成し、基地局（ＭｅＮＢ、ＳｅＮＢ）に送信する。ＣＡ制御部１０３は、ＣＡ（ＤＣ）を構成する各セル（ＣＣ）の管理、追加、削除、アクティベート、ディアクティベート、無線チューニング制御等を行う。
【００８０】
ＰＨＲトリガ検知部１０４は、これまでに説明した方法によりＰＨＲ送信のトリガを検知し、トリガを検知した場合に、ＰＨＲ通知制御部１０５に対して、ＰＨＲの送信を指示する。ＰＨＲ通知制御部１０５は、ユーザ装置ＵＥにおける記憶手段に格納されているＰＨＲ設定情報を確認するとともに、ＣＣ毎のＰＨ情報を生成し、当該ＰＨ情報をＰＨＲとしてＵＬ信号送信部１０２から送信する。また、ＰＨＲ設定情報を確認した結果、例えば、ＭＣＧのみＰＨＲ機能がＯＮである場合には、基地局ＭｅＮＢにのみＰＨＲを送信するといった制御も行う。
【００８１】
図１７に、ユーザ装置ＵＥの動作のフローチャートを示す。ユーザ装置ＵＥは、これまでに説明した方法によりＰＨＲ送信トリガを検知すると（ステップ７０１）、ＰＨＲ設定を確認し（ステップ７０２）、ＰＨＲ設定の内容に従ってＰＨＲの送信を行う（ステップ７０３）。
【００８２】
以上、説明したように、本実施の形態において、基地局間キャリアアグリゲーションによりユーザ装置と通信を行う第１の基地局及び第２の基地局を備える移動通信システムにおける前記ユーザ装置であって、前記ユーザ装置における上り送信電力情報を前記第１の基地局又は前記第２の基地局に送信するための送信トリガを検知する送信トリガ検知部と、前記送信トリガ検知部により検知された送信トリガに基づいて、前記上り送信電力情報を前記第１の基地局又は前記第２の基地局に送信する上り送信電力情報送信部とを備えるユーザ装置が提供される。
【００８３】
前記送信トリガ検知部は、前記第１の基地局の配下のプライマリセルが前記ユーザ装置において設定された後、前記第２の基地局の配下の最初のセルが前記ユーザ装置に設定される際に行われる所定の処理を前記送信トリガとして検知することができる。このような構成とすることで、ＰＳＣｅｌｌ設定の際にＰＨＲを第１の基地局又は第２の基地局に送信することが可能となり、Ｄｕａｌ  Ｃｏｎｎｅｃｔｉｖｉｔｙにおいて、適切な送信電力制御やスケジューリングを行うことが可能となる。
【００８４】
また、前記送信トリガ検知部は、前記第１又は第２の基地局の配下のセカンダリセルがアクティベート又はディアクティベートされる際に行われる所定の処理を前記トリガとして検知するようにしてもよい。このような構成とすることで、ｎｏｒｍａｌ  ＳＣｅｌｌが使用又は停止される際にＰＨＲを第１の基地局又は第２の基地局に送信することが可能となり、Ｄｕａｌ  Ｃｏｎｎｅｃｔｉｖｉｔｙにおいて、適切な送信電力制御やスケジューリングを行うことが可能となる。
【００８５】
また、前記送信トリガ検知部が、前記ユーザ装置において、前記第１の基地局との通信が間欠受信状態に遷移したことを前記送信トリガとして検知した場合に、前記上り送信電力情報送信部は、前記上り送信電力情報を前記第２の基地局に送信し、前記送信トリガ検知部が、前記ユーザ装置において、前記第２の基地局との通信が間欠受信状態に遷移したことを前記送信トリガとして検知した場合に、前記上り送信電力情報送信部は、前記上り送信電力情報を前記第１の基地局に送信することとしてもよい。このような構成を備えることで、Ｄｕａｌ  ＣｏｎｎｅｃｔｉｖｉｔｙにおいてＤＲＸ制御が実施される場合に、ＰＨＲを第１の基地局又は第２の基地局に送信することが可能となり、適切な送信電力制御やスケジューリングを行うことが可能となる。
【００８６】
また、前記上り送信電力情報送信部は、前記ユーザ装置における上り送信電力情報送信の設定内容を確認し、当該設定内容に従って、前記上り送信電力情報を送信する宛先となる基地局を決定することとしてもよい。このような構成により、例えば、一方のＣＧにおいてＰＨＲ機能がＯＦＦでも、他方のＣＧでＯＮであれば、当該ＣＧに対応する基地局にＰＨＲを送信でき、Ｄｕａｌ  Ｃｏｎｎｅｃｔｉｖｉｔｙにおいて適切な送信電力制御やスケジューリングを行うことが可能となる。
【００８７】
また、前記送信トリガ検知部は、前記第１の基地局との間の通信に係るデータが無くなってから所定期間が経過したこと、又は、前記第２の基地局との間の通信に係るデータが無くなってから所定期間が経過したことを前記送信トリガとして検知することもできる。これにより、データが無いにもかかわらず、過大な送信電力を設定することを防止できる。
【００８８】
前記送信トリガ検知部が、前記ユーザ装置と前記第１の基地局との間の無線品質が変化したことを前記送信トリガとして検知した場合に、前記上り送信電力情報送信部は、前記上り送信電力情報を前記第２の基地局に送信し、前記送信トリガ検知部が、前記ユーザ装置と前記第２の基地局との間の無線品質が変化したことを前記送信トリガとして検知した場合に、前記上り送信電力情報送信部は、前記上り送信電力情報を前記第１の基地局に送信することとしてもよい。このような構成により、Ｄｕａｌ  Ｃｏｎｎｅｃｔｉｖｉｔｙにおいて、一方の基地局は、他方の基地局の無線品質を考慮した電力制御やスケジューリングを行うことが可能となる。
【００８９】
また、前記送信トリガ検知部は、前記第１又は第２の基地局から、上り送信電力情報要求を受信したことを前記送信トリガとして検知することとしてもよい。このような構成により、基地局からのトリガでＰＨＲを送信させることができ、基地局は柔軟な制御を行うことが可能となる。
【００９０】
前記上り送信電力情報は、例えば前記ユーザ装置が使用するコンポーネントキャリア毎のパワーヘッドルームである。ユーザ装置からパワーヘッドルームを送信することで、基地局は、ユーザ装置における送信電力を算出できる。
【００９１】
また、以上説明した実施の形態によれば、各基地局は、自身に対していつ大きな送信電力が使用可能となるのか、使用できなくなるのかをダイナミックに検出し、ＵＬ送信電力張り付き（最大が継続すること）によるスループット低下を抑制することができる。
【００９２】
本実施の形態で説明した基地局は、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在した構成であってもよい。
【００９３】
本実施の形態で説明したユーザ装置は、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在した構成であってもよい。
【００９４】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置は機能的なブロック図を用いて説明されたが、そのような装置はハードウェアで、ソフトウェアで又はそれらの組み合わせで実現されてもよい。ユーザ装置のプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【００９５】
本国際特許出願は２０１４年４月１８日に出願した日本国特許出願第２０１４−０８６７２９号に基づきその優先権を主張するものであり、日本国特許出願第２０１４−０８６７２９号の全内容を本願に援用する。
【符号の説明】
【００９６】
ＭｅＮＢ、ＳｅＮＢ  基地局
ＵＥ  ユーザ装置
１０１  ＤＬ信号受信部
１０２  ＵＬ信号送信部
１０３  ＣＡ制御部
１０４  ＰＨＲトリガ検知部
１０５  ＰＨＲ通知制御部
【図１】
2015159874.tif 000005
【図２】
2015159874.tif 000006
【図３Ａ】
2015159874.tif 000007
【図３Ｂ】
2015159874.tif 000008
【図４】
2015159874.tif 000009
【図５】
2015159874.tif 000010
【図６】
2015159874.tif 000011
【図７】
2015159874.tif 000012
【図８】
2015159874.tif 000013
【図９】
2015159874.tif 000014
【図１０】
2015159874.tif 000015
【図１１】
2015159874.tif 000016
【図１２】
2015159874.tif 000017
【図１３】
2015159874.tif 000018
【図１４】
2015159874.tif 000019
【図１５】
2015159874.tif 000020
【図１６】
2015159874.tif 000021
【図１７】
2015159874.tif 000022
【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
基地局間キャリアアグリゲーションによりユーザ装置と通信を行う第１の基地局及び第２の基地局を備える移動通信システムにおける前記ユーザ装置であって、
前記ユーザ装置における上り送信電力情報を前記第１の基地局又は前記第２の基地局に送信するための送信トリガを検知する送信トリガ検知部と、
前記送信トリガ検知部により検知された送信トリガに基づいて、前記上り送信電力情報を前記第１の基地局又は前記第２の基地局に送信する上り送信電力情報送信部と
を備えることを特徴とするユーザ装置。
【請求項２】
前記送信トリガ検知部は、
前記第１の基地局の配下のプライマリセルが前記ユーザ装置において設定された後、前記第２の基地局の配下の最初のセルが前記ユーザ装置に追加されることを前記送信トリガとして検知する
ことを特徴とする請求項１に記載のユーザ装置。
【請求項３】
前記送信トリガ検知部は、
前記第１又は第２の基地局の配下のセカンダリセルがアクティベートされることを前記送信トリガとして検知する
ことを特徴とする請求項１又は２に記載のユーザ装置。
【請求項４】
前記送信トリガ検知部が、前記ユーザ装置において、前記第１の基地局との通信が間欠受信状態に遷移したことを前記送信トリガとして検知した場合に、前記上り送信電力情報送信部は、前記上り送信電力情報を前記第２の基地局に送信し、
前記送信トリガ検知部が、前記ユーザ装置において、前記第２の基地局との通信が間欠受信状態に遷移したことを前記送信トリガとして検知した場合に、前記上り送信電力情報送信部は、前記上り送信電力情報を前記第１の基地局に送信する
ことを特徴とする請求項１ないし３のうちいずれか１項に記載のユーザ装置。
【請求項５】
前記上り送信電力情報送信部は、前記ユーザ装置における上り送信電力情報送信の設定内容を確認し、当該設定内容に従って、前記上り送信電力情報を前記第１の基地局又は前記第２の基地局に送信する
ことを特徴とする請求項１ないし４のうちいずれか１項に記載のユーザ装置。
【請求項６】
前記送信トリガ検知部は、
前記第１の基地局との間の通信に係るデータが無くなってから所定期間が経過したこと、又は、前記第２の基地局との間の通信に係るデータが無くなってから所定期間が経過したことを前記送信トリガとして検知する
ことを特徴とする請求項１ないし５のうちいずれか１項に記載のユーザ装置。
【請求項７】
前記送信トリガ検知部が、前記ユーザ装置と前記第１の基地局との間の無線品質が変化したことを前記送信トリガとして検知した場合に、前記上り送信電力情報送信部は、前記上り送信電力情報を前記第２の基地局に送信し、
前記送信トリガ検知部が、前記ユーザ装置と前記第２の基地局との間の無線品質が変化したことを前記送信トリガとして検知した場合に、前記上り送信電力情報送信部は、前記上り送信電力情報を前記第１の基地局に送信する
ことを特徴とする請求項１ないし６のうちいずれか１項に記載のユーザ装置。
【請求項８】
前記送信トリガ検知部は、前記第１又は第２の基地局から、上り送信電力情報要求を受信したことを前記送信トリガとして検知する
ことを特徴とする請求項１ないし７のうちいずれか１項に記載のユーザ装置。
【請求項９】
前記上り送信電力情報は、前記ユーザ装置が使用するコンポーネントキャリア毎のパワーヘッドルームである
ことを特徴とする請求項１ないし８のうちいずれか１項に記載のユーザ装置。
【請求項１０】
基地局間キャリアアグリゲーションによりユーザ装置と通信を行う第１の基地局及び第２の基地局を備える移動通信システムにおける前記ユーザ装置が実行する上り送信電力情報送信方法であって、
前記ユーザ装置における上り送信電力情報を前記第１の基地局又は前記第２の基地局に送信するための送信トリガを検知する送信トリガ検知ステップと、
前記送信トリガ検知ステップにより検知された送信トリガに基づいて、前記上り送信電力情報を前記第１の基地局又は前記第２の基地局に送信する上り送信電力情報送信ステップと
を備えることを特徴とする上り送信電力情報送信方法。
【国際調査報告】
2015159874.tif 000023
2015159874.tif 000024
2015159874.tif 000025
2015159874.tif 000026